(57)【特許請求の範囲】
【請求項１】
外装ケース内に、複数の燃料電池セルおよび該燃料電池セルに供給する燃料ガスを生成するための改質器を収納容器内に収納してなり、前記燃料電池セルの一端部側で、該燃料電池セルより排出される燃料ガスと酸素含有ガスとを燃焼させる構成の燃料電池モジュールと、前記改質器での改質反応に利用される水を生成するための改質用水生成手段および該改質用水生成手段にて生成された水を前記改質器に供給するための水ポンプを備える補機とを有し、前記外装ケース内に設けられた仕切部材によって前記燃料電池モジュールが収納されたモジュール収納室と前記補機が収納された補機収納室とが上下に区画されてなり、
前記モジュール収納室内の温度を測定するためのモジュール収納室内温度計測手段と、前記補機収納室内の温度を測定するための補機収納室内温度計測手段と、前記水ポンプと前記改質器とを接続する水供給管を加熱するためであって、前記モジュール収納室内に位置する水供給管全体を覆うように設けられた第１の加熱手段と、前記補機収納室内に配置され前記改質用水生成手段を加熱するための第２の加熱手段と、前記第１の加熱手段と前記第２の加熱手段とのそれぞれを、前記モジュール収納室内温度計測手段によって測定された温度と、前記補機収納室内温度計測手段によって測定された温度とのそれぞれに基づいて、独立して動作させる制御を行なう制御装置とを備えることを特徴とする燃料電池装置。
【請求項２】
前記制御装置は、前記モジュール収納室内温度計測手段によって測定された前記モジュール収納室内の温度が第１の所定温度以下となった場合に、前記第１の加熱手段の動作を開始させ、前記モジュール収納室内温度計測手段によって測定された前記モジュール収納室内の温度が、前記第１の所定温度よりも高く設定された第２の所定温度に達した場合に、前記第１の加熱手段の動作を停止させるように制御することを特徴とする請求項１に記載の燃料電池装置。
【請求項３】
前記制御装置は、前記補機収納室内温度計測手段によって測定された前記補機収納室内の温度が第３の所定温度以下となった場合に、前記第２の加熱手段の動作を開始させ、前記補機収納室内温度計測手段によって測定された前記補機収納室内の温度が、前記第３の所定温度よりも高く設定された第４の所定温度に達した場合に、前記第２の加熱手段の動作を停止させるように制御することを特徴とする請求項１に記載の燃料電池装置。
【発明の詳細な説明】
【技術分野】
【０００１】
本発明は、燃料電池装置に関する。
【背景技術】
【０００２】
近年、外装ケース内に、水素含有ガス（燃料ガス）と酸素含有ガス（空気）とを用いて電力を得ることができる燃料電池セルと改質器とを収納容器内に収納してなる燃料電池モジュールを収納するためのモジュール収納室と、該燃料電池モジュールを稼動するための補機を収納するための補機収納室とを、上下に区画してなる燃料電池装置が提案されている。（例えば、特許文献１参照。）。
【０００３】
このような燃料電池装置においては、改質器にて改質効率の高い水蒸気改質を行うにあたり、水タンクやイオン交換樹脂装置等の改質用水生成手段や、該改質用水生成手段により生成された純水を改質器に供給するための水ポンプ、水ポンプと改質器とを接続する水供給管を備えている。
【０００４】
ところで、このような燃料電池装置を寒冷地にて使用する場合においては、運転停止中等において、水供給管や改質用水生成手段が凍結し、効率の良い運転が困難となるおそれがある。
【０００５】
それゆえ、これら水供給管や改質用水生成手段の凍結を抑制することを目的として、燃料電池装置内や、改質用水生成手段等にヒーター等の加熱手段を設けることが提案されている（例えば、特許文献２、特許文献３参照。）。
【先行技術文献】
【特許文献】
【０００６】
【特許文献１】特開２００９−２０５８２６号公報
【特許文献２】特開２００４−２０７０９３号公報
【特許文献３】特開２００５−２５９４９４号公報
【発明の概要】
【発明が解決しようとする課題】
【０００７】
ところで、上述のようにモジュール収納室と補機収納室とが上下に区画されている燃料電池装置においては、水ポンプと改質器とを接続する水供給管の一部がモジュール収納室内に配置されていることから、一方の収納室内の温度にのみ基づいて加熱手段の動作を制御する場合に、水ポンプと改質器とを接続する水供給管または改質用水生成手段の凍結を抑制できないおそれがあり、効率の良い運転が困難となるおそれがあった。
【０００８】
それゆえ、本発明においては、水ポンプと改質器とを接続する水供給管および改質用水生成手段の凍結を効率よく抑制することができる燃料電池装置を提供することを目的とする。
【課題を解決するための手段】
【０００９】
本発明の燃料電池装置は、外装ケース内に、複数の燃料電池セルおよび該燃料電池セルに供給する燃料ガスを生成するための改質器を収納容器内に収納してなり、前記燃料電池セルの一端部側で、該燃料電池セルより排出される燃料ガスと酸素含有ガスとを燃焼させる構成の燃料電池モジュールと、前記改質器での改質反応に利用される水を生成するための改質用水生成手段および該改質用水生成手段にて生成された水を前記改質器に供給するための水ポンプを備える補機とを有し、前記外装ケース内に設けられた仕切部材によって前記燃料電池モジュールが収納されたモジュール収納室と前記補機が収納された補機収納室とが上下に区画されてなり、
前記モジュール収納室内の温度を測定するためのモジュール収納室内温度計測手段と、前記補機収納室内の温度を測定するための補機収納室内温度計測手段と、前記水ポンプと前記改質器とを接続する水供給管を加熱するためであって、前記モジュール収納室内に位置する水供給管全体を覆うように設けられた第１の加熱手段と、前記補機収納室内に配置され前記改質用水生成手段を加熱するための第２の加熱手段と、前記第１の加熱手段と前記第２の加熱手段とのそれぞれを、前記モジュール収納室内温度計測手段によって測定された温度と、前記補機収納室内温度計測手段によって測定された温度とのそれぞれに基づいて、独立して動作させる制御を行なう制御装置とを備えることを特徴とする。
【００１０】
このような燃料電池装置においては、補機収納室内に収納された補機類のうち、水ポンプと改質器とを接続する水供給管を加熱するための第１の加熱手段の動作を、モジュール収納室内の温度に基づいて制御し、改質用水生成手段を加熱するための第２の加熱手段の動作を、補機収納室内の温度に基づいて制御する制御装置を備えることから、水ポンプと改質器とを接続する水供給管および改質用水生成手段の凍結を効率よく抑制することができ、運転効率の向上した燃料電池装置とすることができる。
【００１１】
また、本発明の燃料電池装置は、前記制御装置は、前記モジュール収納室内温度計測手段によって測定された前記モジュール収納室内の温度が第１の所定温度以下となった場合に、前記第１の加熱手段の動作を開始させ、前記モジュール収納室内温度計測手段によって測定された前記モジュール収納室内の温度が、前記第１の所定温度よりも高く設定された第２の所定温度に達した場合に、前記第１の加熱手段の動作を停止させるように制御することが好ましい。
【００１２】
このような燃料電池装置においては、制御装置は、モジュール収納室内の温度が第１の所定温度以下となった場合に、第１の加熱手段の動作を開始させるように制御することで、水ポンプと改質器とを接続する水供給管の凍結を効率よく抑制することができるとともに、モジュール収納室内の温度が、第１の所定温度よりも高く設定された第２の所定温度に達した場合に、第１の加熱手段の動作を停止することにより、発電効率が低下することを抑制できる。
【００１５】
また、本発明の燃料電池装置は、前記制御装置は、前記補機収納室内温度計測手段によって測定された前記補機収納室内の温度が第３の所定温度以下となった場合に、前記第２の加熱手段の動作を開始させ、前記補機収納室内温度計測手段によって測定された前記補機収納室内の温度が、前記第３の所定温度よりも高く設定された第４の所定温度に達した場合に、前記第２の加熱手段の動作を停止させるように制御することが好ましい。
【００１６】
このような燃料電池装置においては、制御装置は、補機収納室内の温度が第３の所定温度以下となった場合に、第２の加熱手段の動作を開始するように制御することで、改質用水生成手段の凍結を効率よく抑制することができるとともに、補機収納室内の温度が第３の設定温度よりも高く設定された第４の所定温度に達した場合に、第２の加熱手段の動作を停止することにより、発電効率が低下することを抑制できる。
【発明の効果】
【００１７】
本発明の燃料電池装置は、モジュール収納室内温度計測手段によって測定された温度に基づいて第１の加熱手段の動作を制御するとともに、補機収納室内温度計測手段によって測定された温度に基づいて第２の加熱手段の動作を制御するための制御装置を備えることから、水ポンプと改質器とを接続する水供給管および改質用水生成手段の凍結を効率よく抑制することができる。
【図面の簡単な説明】
【００１８】
【図１】本発明の燃料電池装置を備える燃料電池システムの構成の一例を示す構成図である。
【図２】本発明の燃料電池装置を構成する燃料電池モジュールの一例を示す外観斜視図である。
【図３】本発明の燃料電池装置の構成の一例を示す概略的に示す概略図である。
【発明を実施するための形態】
【００１９】
図１は、本発明の燃料電池装置を備える燃料電池システムの一例を示した構成図である。なお、以降の図において同一の部材については同一の番号を付するものとする。
【００２０】
図１に示す燃料電池システムは、発電を行なう発電ユニットと、熱交換後の湯水を貯湯する貯湯ユニットと、これらのユニット間に水を循環させるための循環配管とから構成されており、発電ユニットが本発明の燃料電池装置に相当する。
【００２１】
図１に示す燃料電池装置（発電ユニット）は、複数個の燃料電池セル（例えば中空平板型の燃料電池セル等）を組み合わせてなる燃料電池セルスタック１（以下、セルスタックと略す場合がある。）、天然ガス等の原燃料を供給する原燃料供給手段２、セルスタック１を構成する燃料電池セルに酸素含有ガスを供給するための酸素含有ガス供給手段３、原燃料と水蒸気により水蒸気改質する改質器４を具備している。なお、改質器４は、後述する水ポンプ５により供給される水（純水、以下適宜水と略す場合がある。）を気化し、原燃料供給手段２から供給された原燃料と水蒸気とを混合するための気化部と、内部に改質触媒を備え、混合された原燃料と水蒸気とを反応させて燃料ガス（水素含有ガス）を生成するための改質部とを備えている。
【００２２】
なお、図１において、セルスタック１や改質器４を収納容器内に収納することで、本発明の燃料電池装置を構成する燃料電池モジュールが構成される。なお図１においては、燃料電池モジュールを構成する各装置類を二点鎖線により囲って示している（図１においてＭで示している）。
【００２３】
また、図１に示す燃料電池装置（発電ユニット）においては、セルスタック１を構成する燃料電池セルの発電により生じた排ガス（排熱）と循環配管１２を流れる水とで熱交換を行なう熱交換器６、熱交換器６で生成された凝縮水を純水に処理するための凝縮水処理装置１５、凝縮水処理装置１５にて処理された水（純水）を貯水するための水タンク７とが設けられており、水タンク７と熱交換器６とが凝縮水供給管１４により接続されている。なお、熱交換器６での熱交換により生成される凝縮水の水質によっては、凝縮水処理装置１５を設けない構成とすることもできる。また、凝縮水処理装置１５が水を貯水する機能を有する場合には、水タンク７を設けない構成とすることもできる。本発明の燃料電池装置においては、凝縮水処理装置１５や水タンク７が改質用水生成手段に該当する（図１においてＷで示している）。
【００２４】
水タンク７に貯水された水は、水タンク７と改質器４とを接続する水供給管１６に備えられた水ポンプ５により改質器４（気化部、図示せず。）に供給される。
【００２５】
さらに図１に示す燃料電池装置は、燃料電池セルにて発電された直流電力を交流電力に変換し、変換された電流の外部負荷への供給量を調整するための供給電力調整部（パワーコンディショナ）８、熱交換器６の出口に設けられ熱交換器６の出口を流れる水（循環水流）の水温を測定するための出口水温センサ１０のほか、制御装置９が設けられており、循環配管１２内で水を循環させる循環ポンプ１１とあわせて発電ユニット（燃料電池装置）が構成されている。なお、制御装置９については後に詳述する。そして、これら発電ユニットを構成する各装置を、外装ケース内に収納することで、設置や持ち運び等が容易な発電ユニットとすることができる（図示せず）。なお、貯湯ユニットは、熱交換後の湯水を貯湯するための貯湯タンク１３を具備して構成されている。
【００２６】
また、セルスタック１と熱交換器６との間には、燃料電池セル（セルスタック１）の運転に伴い生じる排ガスを処理するための排ガス処理装置が設けられている（図示せず）。なお、排ガス処理装置は、収納容器内に排ガス処理手段を収納してなり、排ガス処理手段としては、一般的に公知の燃焼触媒を用いることができる。
【００２７】
図中の矢印は、原燃料、酸素含有ガス、水の流れ方向を示したものであり、また破線は制御装置９に伝送される主な信号経路、または制御装置９より伝送（発信）される主な信号経路を示している。
【００２８】
ここで、図１に示した燃料電池システムの運転方法について説明する。燃料電池セルの発電に用いられる燃料ガスを生成するために水蒸気改質を行なうにあたり、改質器４で使用される水は、熱交換器６において燃料電池セル（セルスタック１）の運転に伴って生じた排ガスと循環配管１２を流れる水との熱交換により生成される凝縮水が用いられる。熱交換器６にて生成された凝縮水は、凝縮水処理装置１５により処理されて（純水とされて）水タンク７に供給される。水タンク７に貯水された水は、水ポンプ５により改質器４に供給され、原燃料供給手段２より供給される原燃料とで水蒸気改質が行われ、生成された燃料ガスが燃料電池セルに供給される。燃料電池セルにおいては、燃料ガスと酸素含有ガス供給手段３より供給される酸素含有ガスとを用いて発電が行われる。このように凝縮水を有効に利用することにより、水自立運転を行なうことができる。
【００２９】
図２は、図１に示すモジュールＭの一例を示す外観斜視図である。モジュールＭは、収納容器１９内に、燃料電池セル２０の複数個を集電部材（図示せず）を介して電気的に直列に接続して構成されるセルスタック１の下端を、燃料電池セル２０に燃料ガスを供給するためのマニホールド２１に固定してなるセルスタック装置２５を収納している。
【００３０】
なお、燃料電池セル２０にて使用する燃料ガスを得るために、天然ガスや灯油等の原燃料を改質して燃料ガスを生成するための改質器４をセルスタック１の上方に配置している。また改質器４は、改質器４にて水蒸気改質を行なうために、水ポンプ５より水供給管１６を介して供給された水を気化するための気化部２２と、気化部２２にて気化された水と原燃料とで改質反応を行なうための内部に改質触媒を備える改質部２３とを備えている。そして、改質部２３で生成された燃料ガスは、ガス流通管２４を介してマニホールド２１に供給され、マニホールド２１を介して燃料電池セル２０に供給される。
【００３１】
また、図２においては、収納容器１９の一部（前後壁）を取り外し、内部に収納されているセルスタック装置２５および改質器４を後方に取り出した状態を示している。ここで、図２に示した燃料電池モジュールＭにおいては、セルスタック装置２５を、収納容器１９内にスライドして収納することが可能である。なお、セルスタック装置２５は、改質器４を含むものとしても良い。
【００３２】
なお、特に説明していないが、収納容器１９の底面には、燃料電池セル２０に酸素含有
ガスを供給するための酸素含有ガス供給管（図２において左側）と、燃料電池セルの発電等により生じる排ガスを熱交換器６に向けて排気するための排気管（図２において右側）とが接続されている。
【００３３】
また収納容器１９の内部には、酸素含有ガス供給管より供給された酸素含有ガスを燃料電池セル２０に供給するための酸素含有ガス導入部材２６が配置されており、図２に示すモジュールＭにおいては、酸素含有ガス導入部材２６は、マニホールド２１に並置されたセルスタック１の間に配置されるとともに、酸素含有ガスが燃料ガスの流れに合わせて、燃料電池セル２０の側方を下端部から上端部に向けて流れるように、燃料電池セル２０の下端部に酸素含有ガスを供給する。
【００３４】
そして、燃料電池セル２０より排出される燃料ガスと酸素含有ガスとを燃料電池セル２０の上端部側で燃焼させることにより、燃料電池セル２０の温度を上昇させることができ、セルスタック装置２５の起動を早めることができる。また、燃料電池セル２０の上端部側にて、燃料電池セル２０から排出される燃料ガスと酸素含有ガスとを燃焼させることにより、燃料電池セル２０（セルスタック１）の上方に配置された改質器４を温めることができる。それにより、改質器４で効率よく改質反応を行うことができる。
【００３５】
そして、このようなモジュールＭや改質用水生成手段Ｗ等を外装ケース内に収納することにより燃料電池装置とすることができる。
【００３６】
図３は、本発明の燃料電池装置の一例を概略的に示す概略図であり、外装ケース２８の一部を取り外して、外装ケース２８の内部が見えるようにして示している。
【００３７】
図３において燃料電池装置２７は、外装ケース２８内に仕切部材２９を有し、仕切部材２９の上方が、モジュールＭが配置されたモジュール収納室３０とされている。また、仕切部材２９の下方が、モジュールＭを動作させるための補機を収納するための補記収納室３１とされている。なお、モジュールＭは仕切部材２９上に配置された断熱材３２上に配置されている。
【００３８】
また、図３に示す燃料電池装置２７においては、補機収納室３１内に収納される補機類（図１参照）を一部省略して示しており、補機収納室３１内に収納する補機類として、水ポンプ５、熱交換器６、パワーコンディショナ８、制御装置９、改質用水生成手段Ｗ（水タンク７、凝縮水処理装置１５）、水供給管１６（一部はモジュール収納室３０内に位置している）の一部等を示している。
【００３９】
このように、外装ケース２８を上下に区画した形状とすることにより、コンパクトな形状の燃料電池装置２７とすることができる。
【００４０】
ここで、燃料電池装置２７を寒冷地にて使用する場合において、特に燃料電池装置２７の運転停止中に、水供給管１６や改質用水生成手段Ｗが凍結するおそれがある。それゆえ、図３に示す燃料電池装置２７においては、水供給管１６に第１の加熱手段１７（ヒーター等）を設けるとともに、改質用水生成手段Ｗに第２の加熱手段１８を設けている。なお、これらの加熱手段の数や配置場所は、燃料電池装置が設置される地域の環境条件等により、適宜変更することが可能である。
【００４１】
しかしながら、上述のようにモジュール収納室３０と補機収納室３１とが上下に区画されている燃料電池装置２７においては、水ポンプ５と改質器４とを接続する水供給管１６の少なくとも一部がモジュール収納室３０内に配置されていることから、一方の収納室内の温度にのみ基づいて加熱手段の動作を制御すると、水供給管１６または改質用水生成手
段Ｗの凍結を抑制できないおそれがあり、効率の良い運転が困難となるおそれがあった。
【００４２】
特に燃料電池装置２７の運転停止時においては、モジュール収納室３０内の温度が、補機収納室３１内の温度よりも低下する場合があり、これら加熱手段の動作を補機収納室３１内の温度にのみ基づいて制御している場合には、水供給管１６のうち特にモジュール収納室３０内に位置する部位において凍結のおそれがあった。また、水供給管１６が凍結した状態で無理に水ポンプ５を動作させると、水ポンプ５に異常を生じるおそれや、燃料電池装置２７が停止するおそれもあった。
【００４３】
それゆえ、図３に示す燃料電池装置２７においては、温度計測手段として、モジュール収納室３０内の温度を測定するためのモジュール収納室内温度計測手段３３（温度センサ等）と、補機収納室３１内の温度を測定するための補機収納室内温度計測手段３４とを含んでおり、制御装置９は、これらの温度計測手段によって測定された温度に基づいて、第１の加熱手段１７と第２の加熱手段１８の動作をそれぞれ制御する。なお、各加熱手段（ヒーター）はパワーコンディショナ８に接続され、パワーコンディショナ８より電力を供給されて作動するため、制御装置９はパワーコンディショナ８を制御して、各加熱手段の動作を制御する。
【００４４】
すなわち、モジュール収納室内温度計測手段３３によって測定されたモジュール収納室３０内の温度に基づいて水供給管１６に設けられた第１の加熱手段１７の動作を制御するとともに、補機収納室内温度計測手段３４によって測定された補機収納室３１内の温度に基づいて改質用水生成手段Ｗに設けられた第２の加熱手段１８の動作を制御する。
【００４５】
それにより、水ポンプ５と改質器４とを接続する水供給管１６および改質用水生成手段Ｗの凍結を効率よく抑制することができ、運転効率の向上した燃料電池装置とすることができる。
【００４６】
具体的には、制御装置９は、モジュール収納室内温度計測手段３３によって測定されたモジュール収納室３０内の温度が第１の所定温度以下となった場合に、第１の加熱手段１７の動作を開始させ、モジュール収納室内温度計測手段３３によって測定されたモジュール収納室３０内の温度が、第１の所定温度よりも高く設定された第２の所定温度に達した場合に、第１の加熱手段１７の動作を停止させるように制御することが好ましい。
【００４７】
それにより、制御装置９が、モジュール収納室３０内の温度が第１の所定温度以下となった場合に、第１の加熱手段１７の動作を開始するように制御することで、水ポンプ５と改質器４とを接続する水供給管１６の凍結を効率よく抑制することができるとともに、モジュール収納室３０内の温度が、第１の所定温度よりも高く設定された第２の所定温度に達した場合に、第１の加熱手段１７の動作を停止することにより、発電効率が低下することを抑制できる。
【００４８】
ここで、第１の所定温度とは、水供給管１６の凍結を効率よく抑制できる温度であり、かつ第１の加熱手段１７を効率よく作動させることができる温度とすることが好ましく、例えば０℃〜５℃の間で適宜設定することが好ましい。
【００４９】
一方、第２の所定温度とは、第１の所定温度よりも高く設定され、水供給管１６が凍結するおそれの低い温度とすることが好ましく、例えば７〜１０℃の間で適宜設定することが好ましい。
【００５０】
なお、この場合においてモジュール収納室内温度計測手段３３は、水供給管１６の凍結を効率よく抑制するにあたり、水供給管１６の近傍に配置することが好ましい（図３にお
いては、モジュール収納室内温度計測手段３３を水供給管１６に隣接して配置した例を示している。）。
【００５１】
また、特に運転停止中においては、補機収納室３１内よりもモジュール収納室３０内の温度が低下することから、第１の加熱手段１７は、少なくとも一部がモジュール収納室３０内に位置するように配置することが好ましく、特には図３に示したように、水供給管１６のうちモジュール収納室３０内に位置する部位の全体を覆うように配置することが好ましい。
【００５２】
第１の加熱手段１７を少なくともその一部がモジュール収納室３０内に位置するように配置するとともに、第１の加熱手段１７の動作を、モジュール収納室内温度計測手段３３によって測定されたモジュール収納室３０内の温度に基づいて制御することで、水供給管１６の凍結を効率よく抑制することができる。
【００５３】
また、制御装置９は、補機収納室内温度計測手段３４によって測定された補機収納室３１内の温度が第３の所定温度以下となった場合に、第２の加熱手段１８の動作を開始させ、補機収納室内温度計測手段３４によって測定された補機収納室３１内の温度が、第３の所定温度よりも高く設定された第４の所定温度に達した場合に、第２の加熱手段１８の動作を停止させるように制御することが好ましい。
【００５４】
それにより、制御装置９が、補機収納室３１内の温度が第３の所定温度以下となった場合に、第２の加熱手段１８の動作を開始させるように制御することで、改質用水生成手段Ｗの凍結を効率よく抑制することができるとともに、補機収納室３１内の温度が、第３の所定温度よりも高く設定された第４の所定温度に達した場合に、第２の加熱手段１８の動作を停止させることにより、発電効率が低下することを抑制できる。
【００５５】
ここで、第３の所定温度とは、改質用水生成手段Ｗの凍結を効率よく抑制できる温度であり、かつ第２の加熱手段１８を効率よく作動させることができる温度とすることが好ましく、例えば、第１の加熱手段１７を効率よく作動させるための第１の所定温度と同一の温度（０℃〜５℃の間で適宜設定する）とすることができる。
【００５６】
一方、第４の所定温度とは、第３の所定温度よりも高く設定され、改質用水生成手段Ｗが凍結するおそれの低い温度とすることが好ましく、第１の加熱手段１７を効率よく作動させるための第２の所定温度と同一の温度（７℃〜１０℃の間で適宜設定する）とすることができる。
【００５７】
なお、この場合において補機収納室内温度計測手段３４は、改質用水生成手段Ｗの凍結を効率よく抑制するにあたり、補機収納室３４内においてもより温度が低い部位（例えば、補機収納室３４内における底面側（地面側）や、外気の取込口側）に配置することが好ましい（図３においては、補機収納室内温度計測手段３４を、底面側の凝縮水供給管１４に隣接して配置した例を示している。）。
【００５８】
制御装置９が、上述のように、モジュール収納室内温度計測手段３３によって測定されたモジュール収納室３０内の温度に基づいて、第１の加熱手段１７の動作を制御するとともに、補機収納室内温度計測手段３４によって測定された補機収納室３１内の温度に基づいて、第２の加熱手段１８の動作を制御することにより、水ポンプ４と改質器５とを接続する水供給管１６および改質用水生成手段Ｗの凍結を効率よく抑制することができ、運転効率の向上した燃料電池装置２７とすることができる。
【００５９】
以上、本発明について詳細に説明したが、本発明は上述の実施の形態に限定されるもの
ではなく、本発明の要旨を逸脱しない範囲内において、種々の変更、改良等が可能である。
【００６０】
例えば、図３に示した燃料電池装置２７において、水供給管１６に設ける第１の加熱手段１７を１つとし、その一部がモジュール収納室３０内に位置するように配置した例を示したが、例えば第１の加熱手段１７を複数個設け、その１つがモジュール収納室３０内に位置するように配置しても良い。なお、いずれの場合においても、水供給管１６においてモジュール収納室３０内に位置する部位の全体を覆うように第１の加熱手段１７を配置することが好ましい。また、燃料電池装置２７を寒冷地に配置する場合においては、第１の加熱手段１７を水供給管１６全体に設けるようにしてもよい。
【００６１】
また、図１および図３に示した燃料電池装置２７において、改質用水生成手段Ｗを構成する水タンク７および凝縮水処理装置１５の両方に第２の加熱手段１８を設けた例を示したが、たとえば改質用水生成手段Ｗを構成する各装置のうち１つのみに第２の加熱手段１８を設けても良く、また改質用水生成手段Ｗを構成する全ての装置に第２の加熱手段１８を設けても良い。なお第２の加熱手段１８を１つだけ設ける場合には、水ポンプ５側に位置する装置に第２の加熱手段１８を設けることが好ましい。
【符号の説明】
【００６２】
１：セルスタック
４：改質器
５：水ポンプ
９：制御装置
１６：水供給管
１７：第１の加熱手段
１８：第２の加熱手段
２７：燃料電池装置
２８：外装ケース
２９：仕切部材
３０：モジュール収納室
３１：補機収納室
３３：モジュール収納室内温度計測手段
３４：補機収納室内温度計測手段
Ｍ：燃料電池モジュール
Ｗ：改質用水生成手段
【図１】
0005562064.tif 000002
【図２】
0005562064.tif 000003
【図３】
0005562064.tif 000004